(57)【要約】【課題】広告物の集客力を適正に評価でき、広告物の効率的な配信を可能にした情報提供システム、情報提供方法及び携帯無線通信端末を提供すること。【解決手段】広告物２に付着されたＩＣタグからＵＲＬを読取り、サーバー装置６から携帯無線通信端末１へ広告内容の詳細情報の配信を受ける情報提供システムにおいて、携帯無線通信端末１からサーバー装置６へのアクセスの際に、サーバー装置６による当該アクセスの正当性を評価するようにし、非接触ＩＣタグの記録情報を起点としてアクセスした携帯無線通信端末に対してのみ情報が配信されるシステムを構築する。これにより情報表示体の集客効果を常に適切に評価して、広告物等の効率的な配信が可能となる【選択図】        図８
2004309836.tif 000002
【特許請求の範囲】
【請求項１】
情報表示体と、前記情報表示体の表示内容に関連する詳細情報を提供するサーバー装置と、前記情報表示体に取り付けられ、少なくとも前記サーバー装置に関するネットワーク特定情報及び固有のタグＩＤが記録された非接触ＩＣタグと、前記サーバー装置とネットワークを通じて接続され、前記非接触ＩＣタグの記録情報を取得するための情報読取手段を備えた携帯無線通信端末とで構築され、前記非接触ＩＣタグから前記ネットワーク特定情報を読み出した前記携帯無線通信端末の要求に応じて、前記サーバー装置から前記携帯無線通信端末へ前記情報表示体の表示内容に関連する詳細情報が配信される情報提供システムであって、
前記携帯無線通信端末は、前記非接触ＩＣタグから読み出したタグＩＤと、前記サーバー装置へのアクセス権を正当化するための認証データとを送信する機能を有し、
前記サーバー装置は、前記携帯無線通信端末から送信された認証データが正当であると判断したときにのみ、前記情報表示体の表示内容に関連する詳細情報を前記携帯無線通信端末へ配信する機能を有する
ことを特徴とする情報提供システム。
【請求項２】
前記携帯無線通信端末は、前記認証データを生成する認証データ生成手段を具備する
ことを特徴とする請求項１に記載の情報提供システム。
【請求項３】
前記認証データが前記非接触ＩＣタグに記録されており、前記ネットワーク特定情報及び前記タグＩＤと同時に前記携帯無線通信端末により取得可能とされている
ことを特徴とする請求項１に記載の情報提供システム。
【請求項４】
前記認証データが、ワンタイムパスワードである
ことを特徴とする請求項１に記載の情報提供システム。
【請求項５】
前記ネットワーク特定情報が、ＵＲＬである
ことを特徴とする請求項１に記載の情報提供システム。
【請求項６】
前記携帯無線通信端末は、前記非接触ＩＣタグから読み出したネットワーク特定情報に基づく前記サーバー装置へのアクセスの許否を求めるアクセス許否照会手段を具備する
ことを特徴とする請求項１に記載の情報提供システム。
【請求項７】
前記携帯無線通信端末からは、前記非接触ＩＣタグのタグＩＤと前記認証データとが送信されると同時に、前記携帯無線通信端末に割り当てられた固有の端末情報が送信される
ことを特徴とする請求項１に記載の情報提供システム。
【請求項８】
前記端末情報が、前記非接触ＩＣタグの記録情報の読み取りに必要なアプリケーションソフトウェアのシリアルナンバーである
ことを特徴とする請求項７に記載の情報提供システム。
【請求項９】
前記端末情報には、前記携帯無線通信端末のユーザーの性別、年齢、職業及び趣味の少なくとも１つ以上のユーザー情報が含まれる
ことを特徴とする請求項７に記載の情報提供システム。
【請求項１０】
前記情報表示体が、販促用の広告物である
ことを特徴とする請求項１に記載の情報提供システム。
【請求項１１】
前記情報表示体が、交通機関の運行時刻表である
ことを特徴とする請求項１に記載の情報提供システム。
【請求項１２】
前記サーバー装置から前記携帯無線通信端末へ配信される情報が、文字情報、画像情報、音声情報又はこれらの複合情報である
ことを特徴とする請求項１に記載の情報提供システム。
【請求項１３】
前記サーバー装置から前記携帯無線通信端末へ配信される詳細情報には、商品又はサービスに関する優待情報が含まれる
ことを特徴とする請求項１に記載の情報提供システム。
【請求項１４】
前記非接触ＩＣタグは、アンテナコイルにＩＣチップが接続されたＩＣモジュール、磁性シート及び金属シートの積層構造を有する
ことを特徴とする請求項１に記載の情報提供システム。
【請求項１５】
情報表示体に取り付けられた非接触ＩＣタグに携帯無線通信端末をかざし、前記情報表示体の表示内容に関連する詳細情報を提供するサーバー装置のネットワーク特定情報と前記非接触ＩＣタグのタグＩＤとを読み取るステップと、
前記携帯無線通信端末から前記サーバー装置へのアクセスの際に、前記サーバー装置へのアクセス権を正当化するための認証データを送信するステップと、
前記サーバー装置により前記送信された認証データを認証するステップと、
前記サーバー装置から前記携帯無線通信端末へ前記情報表示体の表示内容に関連する詳細情報を配信するステップとを有する
ことを特徴とする情報提供方法。
【請求項１６】
前記サーバー装置から前記携帯無線通信端末への情報の配信が、前記認証データが正当であると判断された場合にのみ行われる
ことを特徴とする請求項１５に記載の情報提供方法。
【請求項１７】
前記認証データが、前記携帯無線通信端末により生成される
ことを特徴とする請求項１５に記載の情報提供方法。
【請求項１８】
前記認証データが、前記非接触ＩＣタグに記録され、前記ネットワーク特定情報及び前記タグＩＤと同時に前記携帯無線通信端末により読み取られる
ことを特徴とする請求項１５に記載の情報提供方法。
【請求項１９】
前記サーバー装置へのアクセスの際、前記サーバー装置へのアクセスの許否を照会するステップを有する
ことを特徴とする請求項１５に記載の情報提供方法。
【請求項２０】
前記サーバー装置から前記携帯無線通信端末への情報の配信の際、前記情報表示体の表示内容についての優待情報が前記携帯無線通信端末へ配信される
ことを特徴とする請求項１５に記載の情報提供方法。
【請求項２１】
情報表示体に取り付けられた非接触ＩＣタグの記録情報を読み取るための情報読取手段と、前記非接触ＩＣタグから読み取ったネットワーク特定情報に基づいて、前記非接触ＩＣタグが取り付けられた情報表示体の表示内容に関連する詳細情報を提供するサーバー装置へネットワークを介してアクセスする通信手段とを備えた携帯無線通信端末において、
前記サーバー装置へのアクセスの際に、前記サーバー装置へのアクセス権を正当化するための認証データを生成する認証データ生成手段を有する
ことを特徴とする携帯無線通信端末。
【請求項２２】
前記認証データ生成手段により生成された認証データは、前記通信手段を介して前記サーバー装置へ送信される
ことを特徴とする請求項２１に記載の携帯無線通信端末。
【請求項２３】
前記認証データが、ワンタイムパスワードである
ことを特徴とする請求項２１に記載の携帯無線通信端末。
【発明の詳細な説明】
【０００１】
【発明の属する技術分野】
本発明は、例えば、広告物等の情報表示体に付された非接触ＩＣタグから携帯無線通信端末を用いて当該広告物に関連する詳細情報を提供するネットワークサーバー装置のネットワーク特定情報（ＵＲＬ等）を取得し、この携帯無線通信端末をネットワークを介してサーバー装置に接続して当該広告物に関連する詳細情報の提供を受けるようにした情報処理システム、情報処理方法及び携帯無線通信端末に関する。
【０００２】
【従来の技術】
従来では、街を歩いていたり電車に乗っているときに、気になる商品や催し物等の広告物を見つけたとしても、その広告物から広告内容に関する詳細な情報を得るには限界があった。そのため、その広告内容について詳細な情報を求めたいときは販売店に出掛けたり、カタログを取り寄せたり、電話等で問合せたりしていた。
【０００３】
これに対し、近年のインターネットの普及により、広告内容に関する詳細な情報をインターネット上で簡単に得ることができるようになってきている。ところが、目的の情報が掲載されているウェブサイトのＵＲＬ（Ｕｎｉｆｏｒｍ  Ｒｅｓｏｕｒｃｅ  Ｌｏｃａｔｏｒ）がわからないと、サーチエンジンを使用して探したり、関連しそうなホームサイトにアクセスして手掛かりを求めて行かねばならず、以外と手間暇を要するものであった。
【０００４】
このような手間暇を省くために、近年の広告物には、広告内容に関する情報を提供しているウェブサイトのＵＲＬが掲載されている。しかしながら、ＵＲＬは一般的に小さな文字で記載されているために見にくく、また、広告物に記載されたＵＲＬを覚えたり書き写しておいて後でパソコン等に入力してアクセスするか、あるいはその場で携帯情報通信端末にキー入力してアクセスする必要があった。同様に、雑誌、本、チラシ等の印刷媒体が情報源である場合も、紙であればその広告内容に関する情報を提供しているウェブサイトのＵＲＬの部分を切り取って保存したり、あるいはその部分を手帳等に書き写して保存したりしていた。
【０００５】
そこで、近年においては、ポスター等の広告物に広告情報を記録した非接触ＩＣタグを貼付し、広告情報利用者が携帯無線通信端末に具備された情報読取手段を用いて当該非接触ＩＣタグから広告情報を取得できるようにした情報提供システムが提案されている（下記特許文献１参照）。
【０００６】
更に、ポスター等の広告物に貼付した非接触ＩＣタグに、当該広告物に関連する詳細情報を提供するネットワークサーバー装置のＵＲＬ情報を格納し、広告情報利用者が携帯無線通信端末に具備された情報読取手段を用いて当該ＵＲＬ情報を取得し、ネットワークを介してサーバー装置から広告物に関連する詳細情報の配信を受けるようにした情報提供システムが知られている（下記特許文献２参照）。
【０００７】
なお、この出願の発明に関連する先行技術文献は以下のとおりである。
【特許文献１】
特開２００１−１６０１０５号公報
【特許文献２】
特開２００２−１５０１４２号公報
【特許文献３】
特開２００２−９９８２４号公報
【特許文献４】
特開２００２−１４９６００号公報
【特許文献５】
特開平１１−８８５０３号公報
【特許文献６】
特開２０００−１１３１４２号公報
【０００８】
【発明が解決しようとする課題】
広告物等の効率的な配置、配布あるいは配信は、企業等の経済活動において重要な地位を占めている。特に、上記のように広告情報を搭載した非接触ＩＣタグを付した広告物は、従来の紙媒体のみの広告ポスター等に比べてコスト高となるので、広告媒体の効率的な配信は益々重要性を増している。したがって、街中に配信される個々の広告物の集客力すなわち広告物の実力を的確に把握する必要がある。
【０００９】
上記特許文献１に記載の情報提供システムにおいては、広告物に貼付される非接触ＩＣタグに広告に関連する詳細情報の全てを格納する必要があるので、ＩＣの容量が大きくなり高コスト化が避けられない。また、広告物の集客力を把握することもできない。
【００１０】
また、上記特許文献２に記載の情報提供システムにおいては、非接触ＩＣタグに記録する情報量を最小限に抑えることが可能となり、広告物の低コスト化を図ることができる。しかし、携帯無線通信端末からサーバーへのアクセス管理は行えるものの、どの広告物を起点とするアクセスかを把握することができないので、広告物の集客効果を適正に評価することはできない。
【００１１】
そこで、上記特許文献３に開示されているように、広告物に貼付される非接触ＩＣタグに固有のタグＩＤを格納し、サーバー装置へのアクセスの際、当該タグＩＤを同時に送信し、どの広告物を起点とするアクセスかを把握できるようにすれば、個々の広告物の実力を的確に把握することは可能となると考えられる。
【００１２】
しかしながら、上記のようにタグＩＤを送信するシステムにおいても、信頼性高く広告物の集客性評価を行うには問題点が残る。例えば、タグ付き広告物から取得したＵＲＬ情報に基づいて、自宅のパーソナルコンピュータ等の他の情報通信端末を用いてサーバー装置へアクセスする利用形態も考えられる。この場合、確かに広告物としての一定の機能は果たせるものの、広告主が当該広告物の集客性評価を正当に行うことは不可能である。
【００１３】
広告主にとっては、広告物の配置場所だけに限らず、何時、何処で、どのような人が広告情報に関心を抱くのかを、ほぼリアルタイムで把握できることが望ましいとされるが、現状の情報提供システムではこのような広告主の要望を満たすマーケティング情報を得ることはできない。
【００１４】
本発明は上述の問題に鑑みてなされ、広告物の集客力を適正に評価でき、広告物の効率的な配信を可能にした情報提供システム、情報提供方法及び携帯無線通信端末を提供することを課題とする。
【００１５】
【課題を解決するための手段】
以上の課題を解決するに当たり、本発明の情報提供システムにおいては、携帯無線通信端末は、非接触ＩＣタグから読み出したタグＩＤと、サーバー装置へのアクセス権を正当化するための認証データとを送信する機能を有し、サーバー装置は、携帯無線通信端末から送信された認証データが正当であると判断したときにのみ、情報表示体の表示内容に関連する詳細情報を携帯無線通信端末へ配信する機能を有することを特徴とする。
【００１６】
本発明の情報提供システムは、非接触ＩＣタグからＵＲＬを取得した携帯無線通信端末から、サーバー装置へのアクセス権を正当化するために認証データを送信し、認証された場合にのみサーバー装置から情報の配信を行うようにしているので、当該携帯無線通信端末以外の情報端末からのアクセスを排除でき、これにより情報表示体の集客効果を適正に評価することができ、広告物等の効率的な配信が可能とる。
【００１７】
情報表示体としては、販促用の広告物が該当するが、これ以外にも、各種交通機関の運行時刻表や、公共機関が発行する各種案内等も含まれる。
【００１８】
また、情報表示体の形態としては、ポスター、看板、屋内外ディスプレイは勿論、店頭又は店内に設置される人形型ディスプレイも含まれる。
【００１９】
情報表示体の表示内容に関連する詳細情報としては、表示される内容及び種類によって異なるが、例えば商品広告に係るものであれば、その商品の使用方法、特性等の文字情報や、デモ映像等の画像情報、音声情報、又はそれらの複合情報が該当する。また、これらの情報に付随して、当該商品の購入を前提とする割引、特典等の優待情報も含ませることができる。
【００２０】
非接触ＩＣタグには、少なくとも、サーバー装置のネットワーク特定情報、固有のタグＩＤ情報が記録される。タグＩＤ情報をサーバー装置へ送信することにより、アクセスの起点となる情報表示体の特定が可能となり、当該情報表示体の適正な集客効果の評価基準を確立できる。なお、非接触ＩＣタグに記録される情報は上述のものに限らず、必要に応じて、表示情報に関連する情報を読取可能に記録しておいてもよい。
【００２１】
認証データは、携帯無線通信端末の機能によって生成される。また、認証データを非接触ＩＣタグに予め記録しておき、情報読取時に認証データを他の情報と同時に読み取るようにしてもよい。認証データの種類は特に限定されず、例えば、ワンタイムパスワードが適用できる。
【００２２】
また、本発明の情報提供方法は、情報表示体に取り付けられた非接触ＩＣタグに携帯無線通信端末をかざし、情報表示体の表示内容に関連する詳細情報を提供するサーバー装置のネットワーク特定情報と非接触ＩＣタグのタグＩＤとを読み取るステップと、無線携帯通信端末からサーバー装置へのアクセスの際に、サーバー装置へのアクセス権を正当化するための認証データを送信するステップと、サーバー装置により認証データを認証するステップと、サーバー装置から携帯無線通信端末へ情報表示体の表示内容に関連する詳細情報を配信するステップとを有することを特徴とする。
【００２３】
本発明の情報提供方法においては、携帯無線通信端末からサーバー装置へのアクセスの際に、サーバー装置による当該アクセスの正当性を評価するステップを有しているので、非接触ＩＣタグの記録情報を起点としてアクセスした携帯無線通信端末に対してのみ情報を配信するシステムを構築できるようになり、これにより情報表示体の集客効果を常に適切に評価することができ、広告物等の効率的な配信が可能となる。
【００２４】
一方、本発明の携帯無線通信端末は、サーバー装置へのアクセスの際に、サーバー装置へのアクセス権を正当化するための認証データを生成する認証データ生成手段を有することを特徴としており、このような構成の携帯無線通信端末を用いて上述した本発明の情報提供システムを構築することができる。
【００２５】
【発明の実施の形態】
以下、本発明の各実施の形態について図面を参照して説明する。
【００２６】
（第１の実施の形態）
図１は本発明の第１の実施の形態による情報提供システムの概念構成を示している。
【００２７】
［システム構成］
本実施の形態の情報提供システムは、携帯電話機又はＰＤＡ（Ｐｅｒｓｏｎａｌ  Ｄｉｇｉｔａｌ  Ａｓｓｉｓｔａｎｔ）等の携帯無線通信端末１と、商品又はサービス情報を表示する販促用の広告物２と、広告物２の表示内容に関連する詳細情報を提供するサーバー装置６と、広告物２に貼付され、サーバー装置６のＵＲＬ（ネットワーク特定情報）及び固有のタグＩＤが記録された非接触ＩＣタグ（以下「ＩＣタグ」という。）３と、携帯無線通信端末１とサーバー装置６との間を接続する携帯無線通信端末用ネットワーク５等で構成されている。
【００２８】
後に詳述するように、携帯無線通信端末１はＩＣタグ３の記録情報を読み取るための情報読取手段を具備し、広告物２に貼付されたＩＣタグ３にかざすことによって当該ＩＣタグ３の記録情報を読み取ることができるようになっている。そして、ＩＣタグ３から携帯無線通信端末１に読み取ったサーバー装置６のＵＲＬ情報を入力することにより、無線基地局４及び携帯無線通信端末用ネットワーク５を介してサーバー装置６にアクセスし、一定条件の下で、広告物２の表示内容に関する詳細情報が携帯無線通信端末用ネットワーク５及び無線基地局４を介して携帯無線通信端末１へ配信されるようになっている。
【００２９】
［携帯無線通信端末１の構成］
図２及び図３は携帯無線通信端末１の構成例を示している。ここで、図２は携帯無線通信端末１の外観構成例を示し、図３は携帯無線通信端末１の内部構成例を示している。
【００３０】
本実施の形態では、携帯無線通信端末１は携帯電話機で構成されている。携帯無線通信端末１は電話機本体１０１と蓋体１０２とからなり、蓋体１０２により電話機本体１０１の一部が覆われるようになっている。電話機本体１０１には、アンテナ１０３、操作キー１０４、ジョグダイアル１０５、液晶ディスプレイ１０６、スピーカ１０７等が設けられている。蓋体１０２には、マイクロフォン１０８、アンテナコイル１０９等が設けられている。
【００３１】
アンテナコイル１０９は変復調回路１１０とともに情報読取手段を構成し、図示しないＩＣタグ３から広告物２の記録情報を読み出すように構成されている。すなわち、ＩＣタグ３から送られてきた変調波が変復調回路１１０によりその復調機能を使用して復調される。この変復調回路１１０には高周波発生回路１１１が接続され、例えば周波数１３．５６ＭＨｚの搬送波信号が発生される。この搬送波信号は変復調回路１１０からＩＣタグ３への電磁界エネルギーとして利用される。
【００３２】
変復調回路１１０にはシステムバス１１２が接続されている。システムバス１１２にはＣＰＵ１１３が接続され、所定の制御プログラムに基づいて復調後の情報の表示制御を行ったり、通常の電話機能に係る発呼及び着呼制御が行われる。
【００３３】
システムバス１１２にはキー入力インターフェース１１４が接続され、当該インターフェース１１４には電話機本体１０１の操作キー１０４が接続されている。操作キー１０４による操作入力によってＣＰＵ１１３に司令が与えられる。例えば、特定のキーを数回押下すると、情報読取表示モード又は通常の電話機モードの何れかを選択できるようになされている。
【００３４】
ここで、情報読取表示モードとはＩＣタグ３にこの携帯無線通信端末１の蓋体１０２をかざしてＩＣタグ３の記録情報を読み取る機能をいい、通常の電話機モードとは情報読取表示モード以外の通常の電話機能をいうものとする。情報読取表示モードが設定されると、後述するようにフラッシュメモリ１１９に格納された、当該情報提供システムを利用するためのアプリケーションソフトウェア（以下「システムソフトウェア」という。）を立ち上げる処理が実行され、例えば、特定のキーを押下すると情報の読取りが開始される。情報を全部読み取った時点で終了表示をするとよい。情報の読取りが完了したら、特定のキーを押下すると電話機モードに戻るように構成されている。
【００３５】
一方、電話機モードでは、操作キー１０４のテンキー等を操作すると、相手方の電話番号に係るキーデータを入力できるようになっている。相手方の電話番号の検索には、ジョグダイアル１０５を用いることができる。ジョグダイアル１０５は入力インターフェース１１５を介してシステムバス１１２に接続されている。
【００３６】
システムバス１１２には更に、ディスプレイコントローラ１１６及びビデオＲＡＭ１１７が接続され、ディスプレイコントローラ１１６には電話機本体１０１の液晶ディスプレイ１０６が接続されている。ビデオＲＡＭ１１７には、変復調回路１１０から出力された復調後の情報や、キー入力インターフェース１１４から出力されるキーデータ等が一時記憶される。
【００３７】
システムバス１１２にはＲＯＭ１１８が接続され、電話機モード及び情報読取モードを制御するための制御プログラムなどが格納されている。システムバス１１２には不揮発性のフラッシュメモリ１１９が接続され、当該携帯無線通信端末１により読み取られたＩＣタグ３の記録情報が記録される。また、システムバス１１２にはワーキング用のＤＲＡＭ１２０が接続され、復調後の情報、キーデータ、インターネット情報が一時記録される。
【００３８】
ここで、例えばフラッシュメモリ１１９には、システムソフトウェア（プログラム）が格納されている。このソフトウェアはサーバー装置６が管理する専用ウェブサイトからダウンロードしてインストールされたものであり、固有のシリアルナンバーを有している。
【００３９】
本実施の形態においては、このシステムソフトウェアのダウンロードの際、ユーザーの簡易的なプロフィールをユーザー情報として登録することをユーザーに要求している。このユーザー情報としては、年齢、性別、職業、趣味等といった、個人の特定につながらない情報とされる。これらの情報の少なくとも１つ又は全部の登録を条件に当該システムソフトウェアを入手できるようになっている。
【００４０】
次に、システムバス１１２にはバックアップＲＡＭ（不揮発性メモリ）１２１が接続されている。バックアップＲＡＭ１２１にはバックアップ電池Ｅが接続されている。バックアップＲＡＭとバックアップ電池Ｅを共用するタイマ１２２には水晶発振素子１２２Ａが接続され、年、日時等の時刻データが出力される。
【００４１】
また、システムバス１１２には送受信情報処理部１２３が接続されている。送受信情報処理部１２３には、送話器としてのマイクロフォン１０８が接続され、ＣＰＵ１１３からの送受処理データに基づいてユーザー自身の音声が収録された後に、送受信処理部１２３で増幅等の処理が行われてＲＦ処理部１２４に出力される。ＲＦ処理部１２４ではユーザーの音声が無線周波数の信号に変換され、無線電波となってアンテナ１０３から輻射される。
【００４２】
アンテナ１０３で受信した相手方の無線電波はＲＦ処理部１２４で音声周波数の信号に復調された後に、送受信情報処理部１２３で増幅等の処理が行われて受話器としてのスピーカ１０７に出力される。これにより、ユーザーは相手方と交信することができる。
【００４３】
また、この携帯無線通信端末１からサーバー装置６へ広告物２の表示内容に関連する詳細情報の配信を要求する際には、ＩＣタグ３から読み取ったサーバー装置６のＵＲＬ情報に基づいて生成されたアクセス信号と、ＩＣタグ３から読み取ったタグＩＤ情報と、システムソフトウェアに基づいて生成された認証データと、システムソフトウェアのシリアルナンバーとを、それぞれ送信データとして送受信情報処理部１２３及びＲＦ処理部１２４を介して、アンテナ１０３から無線基地局４へ無線送信するようになっている。これら送受信情報処理部１２３、ＲＦ処理部１２４及びアンテナ１０３により本発明の「通信手段」が構成される。
【００４４】
上述のように、本実施の形態においては、サーバー装置６へのアクセスに際して、ＩＣタグ３のタグＩＤを送信するように構成することにより、広告主が、何時どこの広告物２を起点としてアクセスがあったかを後に分析することができるようになる。
【００４５】
また、サーバー装置６へのアクセスに際して、システムソフトウェアのシリアルナンバーを端末情報として送信するように構成することにより、予め登録されたユーザー簡易情報に基づいて当該携帯無線通信端末１のユーザーの嗜好あるいはライフスタイルの概略を把握できるようになり、将来的なマーケティングプランの判断材料を広告主に提供することが可能となる。
【００４６】
更に本実施の形態では、サーバー装置６へのアクセスに際して、システムソフトウェアに基づいて生成された認証データを送信するように構成しており、サーバー装置６に備え付けられた認証手段が当該認証データを正当であると判断したときのみ広告物２の詳細情報を提供するようにしている。
【００４７】
これにより、ＩＣタグ３から情報を読み取った携帯無線通信端末１以外の携帯無線通信端末あるいは自宅のパーソナルコンピュータ等の他の情報通信端末によるアクセスを禁止することができるので、当該ＩＣタグ３が貼付された広告物２の集客力を客観的に評価できるようになるとともに、当該広告物２の集客効果をほぼリアルタイムに把握できるようになる。
【００４８】
ここで、認証データとしては、例えば、所定のアルゴリズムで生成され一回の送信処理に限りパスワードとして利用される文字列等（ワンタイムパスワード）が好適である。またこれ以外に、無線携帯通信端末１とサーバー装置６との共通鍵で暗号化されたパスワードや、サーバー装置６の公開鍵で暗号化されたパスワードを認証データとして利用することも可能である。
【００４９】
認証データは、システムソフトウェアに格納されているパスワード生成プログラムをＣＰＵ１１３が実行することによって生成される。これらソフトウェア及びＣＰＵ１１３により本発明の「認証データ生成手段」が構成される。
【００５０】
最後に、図３を参照して、携帯無線通信端末１は、ペン入力を可能とするために、システムバス１１２にタッチパネルインターフェース１２５が設けられていてもよい。この場合、液晶ディスプレイ１０６の画面上にタッチパネル１２６を構成する必要がある。更に、各々ソケット１２７Ａ，１２８Ａを有したＩＣカードインターフェース１２７及び外部機器インターフェース１２９が接続され、外付けのパソコンや外付けのＩＣカード等を使用した情報処理を拡張できるように構成されてもよい。
【００５１】
［ＩＣタグ３の構成］
続いて、広告物２に取り付けられるＩＣタグ３の構成について図４〜図６を参照して説明する。ここで、図４はＩＣタグ３の層構造を示す分解斜視図、図５はＩＣタグ３の内部構成例を示すブロック図、図６は広告物２に対するＩＣタグ３の取付例を示す正面図である。
【００５２】
図４を参照して、ＩＣタグ３は、上層側から、剥離紙３１、両面粘着シート３２、外装材３３、ＩＣモジュール３４、磁気シート３５、金属シート３６及び外装材３７の積層構造とされる。剥離紙３１は、当該ＩＣタグ３を広告物２へ貼着する際に除去される。
【００５３】
ＩＣモジュール３４は、ポリイミド等の絶縁基材３８上に、銅やアルミニウム等の金属箔を所定形状にパターニングしてなるアンテナコイル３９が形成され、このアンテナコイル３９にＩＣチップ４０が接続された構成となっている。なお、ＩＣチップ４０はエポキシ樹脂や金属板等で封止、補強されているのが好ましい。
【００５４】
外装材３３及び外装材３７は、例えばポリエチレンテレフタレート（ＰＥＴ）フィルムで構成され、互いに加熱密封されることにより、ＩＣモジュール３４と磁気シート３５と金属シート３６とを積層状態でパッケージングする。
【００５５】
磁気シート３５及び金属シート３６は、当該ＩＣタグ３の取付位置又は取付環境に起因するＩＣモジュール３４の通信特性の変動を抑えるために設けられ、ＩＣタグ３の周辺ノイズを除去すると同時に通信電波の送受信特性の安定化を図るためのものである。
【００５６】
ＩＣチップ４０は、図５に示すように、変復調回路４１、信号処理回路４２、不揮発性メモリ４３及び電源生成部４４を備えている。不揮発性メモリ４３には、広告物２の詳細情報を提供するサーバー装置６のネットワーク特定情報、当該ＩＣタグ３に固有のタグＩＤといった情報が記録されている。
【００５７】
サーバー装置６のネットワーク特定情報として本実施の形態ではＵＲＬが用いられるが、これ以外に、電子メールアドレスや電話番号等の連絡先（広告主又はその関係者）を特定するのに十分な情報が該当する。また、ＩＣタグ３のタグＩＤとしては、例えば、広告物２の種類、設置場所、設置日、広告主、その他の関連情報が該当する。
【００５８】
ＩＣチップ４０に対する記録情報の書き込みは、無線通信で行われる。この例では、上記記録情報は所定のデータフォーマットのデータ列になされ、アンテナコイル３９を介して記録される。更に詳しくは、情報書き込み時にアンテナコイル３９で受信された振幅偏移変調波（１３．５６ＭＨｚ）が変復調回路４１の復調機能によって復調される。復調後のデータ列は変復調回路４１から信号処理回路４２を経て、不揮発性メモリ４３に書き込まれる。
【００５９】
一方、ＩＣタグ３に携帯無線通信端末１がかざされ、ＩＣチップ４０内の記録情報が携帯無線通信端末１によって読み取られる際は、不揮発性メモリ４３から読み出された記録情報が変復調回路４１の変調機能によって振幅偏移変調され、所定のデータフォーマットのデータ列とされてアンテナコイル３９を介して無線携帯通信端末１へ送信されることになる。
【００６０】
以上のように構成されるＩＣタグ３は、全体的にフレキシブル性を有し、図示するような長方形状に限られず、円形又は楕円形等の任意の形状に形成される。
【００６１】
ＩＣタグ３は、例えば図６に示すように、広告物２の表面の下側左隅部に当該広告物２の裏面側に貼着される。ＩＣタグ３の取付部位を広告情報利用者へアピールするために、広告物２の表面にはＩＣタグ３の取付部位周辺を囲むように目立つ塗色で特定のマーク２２等が付されると好適である。
【００６２】
広告物２は、例えば紙又はプラスチックシート等でなるポスターで構成でき、その大判の基紙２１の表面に、特定の商品に関する文字、絵、写真等からなる広告情報が印刷等の公知の方法で表示されている。表示内容の一例としては、例えば商品に係るものであれば、商品の名称や特徴、価格、メーカー名等が該当し、キャンペーン物であればその特典情報、キャンペーン期間、取扱い販売店等が表示される。
【００６３】
なお、ポスター以外にも、例えば看板、屋内外ディスプレイ、インフォメーションボード等も広告物２として適用でき、更に図７に示すように店頭又は商品に隣接して設置される人形型ディスプレイ２３も適用可能である。
【００６４】
広告物２は商品広告に限らず、映画、演劇、コンサート等の興行広告、空物件等の不動産情報、更には、時事報道、求人、保険等のサービス情報に関する広告も含まれる。
【００６５】
また、広告物は販促用に限らず、例えば、電車、バス、飛行機等の各種交通機関の運行時刻表、官報、自治体又は町内会が発行する各種案内等の公共情報も、本発明に係る「情報表示体」に該当する。
【００６６】
［サーバー装置６の概略構成］
次に、サーバー装置６の概略構成について説明する。上述のように、サーバー装置６は、広告物２のＩＣタグ３から記録情報を読み取った携帯無線通信端末１のアクセスを受けて、当該広告物２の表示内容に関連する詳細情報を当該携帯部線通信端末１へ配信する機能を有している。
【００６７】
サーバー装置６から携帯無線通信端末１へ配信される広告物２の詳細情報としては、広告表示に係る内容、種類によって異なるものとなる。例えば、広告物２が商品広告に係るものであれば、その商品の使用方法、特性、付属備品、取扱説明書等の文字情報、商品の特徴を表示するデモ画面等の静止画又は動画を含む画像情報、あるいは、商品の案内や説明等の音声情報などが該当し、これらの１つ又は複合情報とされる。
【００６８】
これらの配信情報は、サーバー装置６に備え付けられたデータベースに蓄積されていてもよいし、サーバー装置６により管理されるコンテンツ提供装置７を別途設置しこのコンテンツ提供装置７に上記配信情報が蓄積されるようにしてもよい。
【００６９】
サーバー装置６から携帯無線通信端末１への情報の配信には、上述したように一定の制限が課されている。すなわち、サーバー装置６は、携帯無線通信端末１から情報の配信の要求を受けた際、携帯無線通信端末１からのアクセス権が正当であるかどうかを判断する。アクセス権の正当性は、携帯無線通信端末１から送信される認証データに基づいて行われ、この認証データの認証処理を経て判断される。そして、認証データが正当であると判断した場合にのみ、要求された広告物の表示内容に関連する詳細情報を当該携帯無線通信端末１へ配信するようになっている。
【００７０】
サーバー装置６から携帯無線通信端末１へ配信される情報は、広告物２の表示内容に関連する詳細情報だけに限られない。本実施の形態では、サーバー装置６から携帯無線通信端末１への情報の配信の際に、当該広告物２の表示内容に係る商品又はサービス等の優待情報を含ませるようにしている。
【００７１】
上記優待情報としては、例えば割引き情報や、特典品サービス情報等とすることができる。この場合、携帯無線通信端末１のユーザーは、例えば広告物２に係る商品の購入時、販売店の係員に対し、携帯無線通信端末１の液晶ディスプレイ１０６に表示された上記優待情報を提示することによって、当該商品の割引サービスや特典品のサービスが受けられるようにしている。
【００７２】
また、サーバー装置６は、携帯無線通信端末１からアクセスを受けた際に、上記認証データと共に送信されるＩＣタグ３のタグＩＤを記録する。タグＩＤの記録の際に、アクセス回数のカウントアップは勿論、アクセスのあった日時を記録する。更に、サーバー装置６は、携帯無線通信端末１からのアクセスを受けた際に、上記認証データ及びタグＩＤと共に送信されるシステムソフトウェアのシリアルナンバーを記録するようになっている。
【００７３】
次に、以上のように構成される本実施の形態の作用について図８を参照して説明する。図８は本実施の形態の作用を説明するためのフローである。
【００７４】
ＩＣタグ３が取り付けられた広告物２は、屋内外の掲示板、電柱、店頭、店内の商品棚、電車・バスの車内に設置されている。これらの広告物２の表示内容に興味を抱きより詳細な情報の取得を希望する広告情報利用者は、自己の所有する携帯無線通信端末１を操作して情報読取表示モードに設定し、電話機の蓋体１０２を広告物２のタグ取付位置へかざす（ステップＳ１１）。
【００７５】
広告物２の表面には、ＩＣタグ３の取付位置を特定のマーク２２で表示して利用者にアピールするようにしているので、利用者は当該マーク２２を目印として携帯無線通信端末１を適正にＩＣタグ３にかざすことができる。
【００７６】
利用者の操作により、ＩＣタグ３から携帯無線通信端末１へＩＣタグ３の記録情報、すなわち本例では、対応するサーバー装置６のＵＲＬ情報及び当該ＩＣタグ３の固有のタグＩＤ情報が読み取られる（ステップＳ１２）。記録情報の読取りが完了した後、携帯無線通信端末１の内部で認証データの生成が行われる（ステップＳ１３）。
【００７７】
認証データは、上述のように、当該情報提供システムを利用するためのシステムソフトウェアの認証データ生成プログラムに基づいて生成されるワンタイムパスワードとされる。
【００７８】
次に、ＩＣタグ３から読み取られたＵＲＬ情報が携帯無線通信端末１に入力され、無線基地局４及び携帯無線通信端末用ネットワーク５を介してサーバー装置６へアクセスする（ステップＳ１４）。この際、生成された認証データがサーバー装置６へ送信される（ステップＳ１４）。
【００７９】
サーバー装置６は、送信された認証データの認証を行う（ステップＳ１５）。認証データが正当であると判断されると、サーバー装置６へＩＣタグ３のタグＩＤ情報及び端末情報としてシステムソフトウェアのシリアルナンバーがサーバー装置６へ送信される（Ｓ１６）。そして、サーバー装置６から携帯無線通信端末１へ、要求された広告物２の表示内容に関連する詳細情報を配信する（ステップＳ１７）。
【００８０】
携帯無線通信端末１は、配信された情報を液晶ディスプレイ１０６に表示する。これにより、ユーザーである広告情報利用者は、広告物２の表示内容に関連する詳細情報を閲覧することができる。
【００８１】
以上のように、本実施の形態では、サーバー装置６へのアクセスに際して、認証データを送信するようにしており、当該認証データが正当であると判断したときのみ情報を配信するようにしているので、ＩＣタグ３から情報を読み取った携帯無線通信端末１以外の無線通信端末やパーソナルコンピュータ等の他の情報通信端末によるアクセスあるいは情報の開示要求を排除することができる。
【００８２】
また、サーバー装置６へのアクセスの際、ＩＣタグ３のタグＩＤを送信するようにしているので、広告主が何時、どこに設置した広告物２を起点してアクセスを受けたかを後に分析することができるようになり、これにより、当該広告物２の広告効果を把握することができる。
【００８３】
また、サーバー装置６へのアクセスの際、ソフトウェアのシリアルナンバーを端末情報として送信するようにしているので、予め登録されたユーザー簡易情報に基づいた当該携帯無線通信端末１のユーザーの嗜好あるいはライフスタイルの概略を把握できるようになり、将来的なマーケティングプランの判断材料を広告主に提供することが可能となる。
【００８４】
以上により、当該ＩＣタグ３が貼付された広告物２の集客力を客観的に評価できることになるとともに、当該広告物２の集客効果をほぼリアルタイムに把握できるようになるので、広告物の効率的な配置を行う上で有効な情報を得ることができる。
【００８５】
（第２の実施の形態）
図９は本発明の第２の実施の形態を説明するフロー図である。本実施の形態では、上述の第１の実施の形態で説明した情報提供システムの他の実施形態を説明する。
【００８６】
図９を参照して、広告物２の表示内容に興味を抱きより詳細な情報の取得を希望する広告情報利用者は、自己の所有する携帯無線通信端末１を操作して情報読取表示モードに設定し、電話機の蓋体１０２を広告物２のタグ取付位置へかざす（ステップＳ２１）。
【００８７】
利用者の操作により、ＩＣタグ３から携帯無線通信端末１へＩＣタグ３の記録情報、すなわち本例では、対応するサーバー装置６のＵＲＬ情報及び当該ＩＣタグ３の固有のタグＩＤ情報が読み取られる（ステップＳ２２）。記録情報の読取りが完了した後、携帯無線通信端末１の内部で認証データの生成が行われる（ステップＳ２３）。
【００８８】
本実施の形態では、その後、携帯無線通信端末装置１の液晶ディスプレイ１０６に、取得したＵＲＬ情報の入力の許否を照会するメッセージが表示される（ステップＳ２４）。ユーザーは、アクセスを希望する場合には所定の操作キーを押下してＵＲＬの入力を許可し、希望しない場合には他の所定の操作キーを押下してＵＲＬの入力を拒否する。
【００８９】
ＵＲＬ情報の入力許否照会機能は、当該情報提供システムのアプリケーションソフトウェアのプログラムに基づいて実行される。このような機能を追加することにより、広告物２の誤用を防止できるとともに、ユーザーの意図しない情報の配信を回避できる。また、広告物２の真の広告実力を評価できることにもなる。
【００９０】
ＵＲＬの入力を許可した後は、上述の第１の実施の形態と同様な作用が行われる。すなわち、ＵＲＬ情報が携帯無線通信端末１に入力され、サーバー装置６へ認証データが送信される（ステップＳ２５）。サーバー装置６は、送信された認証データの認証を行い（ステップＳ２６）、認証後、サーバー装置６へＩＣタグ３のタグＩＤ情報及びシステムソフトウェアのシリアルナンバーが送信される（Ｓ２７）。そして、要求された広告物２の表示内容に関連する詳細情報を当該携帯無線通信端末１へ配信する（ステップＳ２８）。
【００９１】
（第３の実施の形態）
図１０は本発明の第３の実施の形態を示すフロー図である。本実施の形態では、上述の第１の実施の形態では、サーバー装置６へアクセスする際に送信される認証データを携帯無線通信端末１の内部処理で生成するようにしたが、本実施の形態では、当該認証データをＩＣタグ３に格納した実施形態について説明する。
【００９２】
図１０を参照して、広告物２の表示内容に興味を抱きより詳細な情報の取得を希望する広告情報利用者は、自己の所有する携帯無線通信端末１を操作して情報読取表示モードに設定し、電話機の蓋体１０２を広告物２のタグ取付位置へかざす（ステップＳ３１）。
【００９３】
利用者の操作により、ＩＣタグ３から携帯無線通信端末１へＩＣタグ３の記録情報、すなわち本例では、対応するサーバー装置６のＵＲＬ情報、当該ＩＣタグ３の固有のタグＩＤ情報、及び、サーバー装置６へのアクセス権を正当化するための認証データが読み取られる（ステップＳ３２）。
【００９４】
その後、携帯無線通信端末装置１の液晶ディスプレイ１０６に、取得したＵＲＬ情報の入力の許否を照会するメッセージが表示される（ステップＳ３３）。ユーザーは、アクセスを希望する場合には所定の操作キーを押下してＵＲＬの入力を許可し、希望しない場合には他の所定の操作キーを押下してＵＲＬの入力を拒否する。
【００９５】
ＵＲＬの入力を許可した後は、ＵＲＬ情報が携帯無線通信端末１に入力され、サーバー装置６へ認証データが送信される（ステップＳ３４）。サーバー装置６は、送信された認証データの認証を行い（ステップＳ３５）、認証後、サーバー装置６へＩＣタグ３のタグＩＤ情報及びシステムソフトウェアのシリアルナンバーが送信される（Ｓ３６）。そして、要求された広告物２の表示内容に関連する詳細情報を当該携帯無線通信端末１へ配信する（ステップＳ３７）。
【００９６】
以上のように、本発明では、サーバー装置６から情報の配信を受ける際に必要な認証データをＩＣタグ３に記録しておき、ＵＲＬ情報等の読取りと同時に当該認証データをも取得できるようにシステムを構築することも可能である。この方法によっても、上述の第１の実施の形態と同様な効果を得ることができる。
【００９７】
（第４の実施の形態）
次に、上述の第１の実施の形態で説明した情報提供システムを図１１を参照してより具体的に説明する。本例では、広告物２としてＣＤ販促用ポスターを例に挙げて説明する。
【００９８】
広告代理店１１は、広告主１２から、歌手Ａの新譜販促用ポスター２の製作運用依頼を受ける。広告代理店１１は、歌手Ａの新譜販促用ポスターのデザインを検討するとともに、当該情報提供システム用の専用サイト１４を立ち上げる。同時に、ＩＣタグ３に専用サイトＵＲＬ及び掲示先アドレスコード（タグＩＤ）を格納する。そして、製作された新譜販促用ポスター２にＩＣタグ３を付着して販売店１３に配布する。
【００９９】
広告情報利用者は、自己が所有する携帯無線通信端末１を用いてインターネットを介して専用サイト１４からシステムソフトウェアをダウンロードする。ダウンロードの際、自己の年齢、性別、職業、趣味等の簡易プロフィールを入力しユーザー登録を済ませる。
【０１００】
販売店１３に掲示されている新譜販促用ポスター２を閲覧し、ポスター２に表示された情報以外の情報の入手を希望した広告情報利用者は、自己の携帯無線通信端末１をポスター２のＩＣタグ３の貼付位置にかざす。これにより、ＩＣタグ３から携帯無線通信端末１へＵＲＬ情報及びタグＩＤ情報が送信される。
【０１０１】
ＩＣタグ３の記録情報を読み取った後、自動で又は広告情報利用者の操作により、サーバー装置６へアクセスする。このとき、携帯無線通信端末１からサーバー装置６へ認証データが送信される。
【０１０２】
サーバー装置６は、送信された認証データを認証する。認証後、タグＩＤとシリアルナンバーとがサーバー装置６へ送信され、アクセスログとして記録される。そして、サーバー装置６から携帯無線通信端末１へ歌手Ａの新譜販促用の特典映像（プロモーションビデオ）等の情報が配信され、携帯無線通信端末１の液晶ディスプレイに表示される。特典映像が終わると、優待情報として電子クーポンが配信され、携帯無線通信端末１の液晶ディスプレイへ表示される。
【０１０３】
購入を決めた広告情報利用者は、販売店へ赴き、歌手Ａの新譜を購入する。このとき、携帯無線通信端末１の液晶表示ディスプレイに表示された電子クーポンを係員に提示し、一定の割引サービスやノベルティグッズの提供等の特典を受ける。また、レジ脇等に設置された専用の読取機に携帯無線通信端末１をかざし、必要な情報の読取りが行われる。
【０１０４】
サーバー装置６内のアクセスログ（ユーザー情報、時間帯、モジュールカウント数、アクセス日、タグＩＤ等）や店内で読み取った購入情報から、ある程度のユーザー像を特定できる程度にまで分析が行われる。広告代理店１１は、上記広告実績とともに必要なマーケティングアドバイスを広告主１２に提供する。
【０１０５】
以上、本発明の各実施の形態について説明したが、勿論、本発明はこれらに限定されることなく、本発明の技術的思想に基づいて種々の変形が可能である。
【０１０６】
例えば、ＩＣタグ３が取り付けられる情報表示体には、上述したように交通機関の運行時刻表も含ませることができる。この場合、駅利用者の携帯無線通信端末に時刻表データを電子データとして入手、記録することが可能となるので、駅等で配布される時刻表カードのしまい忘れや持ち運ぶ面倒さを解消することができるとともに、ダイヤ改正時に速やかに更新された時刻表データを入手することができる。
【０１０７】
また、空き室物件の入居者募集看板を情報表示体として適用すれば、いちいち不動産会社に赴くことなく、空き室物件の詳細な間取り画像情報や賃料等を提供することができる。
【０１０８】
ＣＤケースや、レンタル用ビデオの収納ケースを本発明の情報表示体として適用し、例えば１フレーズ分の試聴あるいは予告映像の試写を利用者に提供するようにしてもよい。
【０１０９】
また、駅前等にある観光案内地図に本発明を適用して、当該土地の住居表示や観光案内情報、更には、目的とする場所へのアクセス情報の詳細を音声及び映像等で提供することができる。同様に、商品や観光案内、イベント等のパンフレット等にも本発明は適用可能である。
【０１１０】
また、店頭又は店内に設置したインフォメーションボードや人形型ディスプレイに本発明を適用し、店内情報やテナント情報を店内図（平面図）として提供したり、現在地を表示させたり、あるいは目的とする店舗へのナビゲーションサービスを提供するようにしてもよい。更に、店内の商品脇に設置されたインフォメーションボードに本発明を適用して、当該商品の詳細情報（在庫数、カラー、サイズ等）を提供するようにしてもよい。
【０１１１】
その他、野外活動等でのオリエンテーションで行われるコンパスゲームのチェックポイントに本発明を適用すれば、当該チェックポイントの通過時刻、通過パーティ等を特定することができると同時に、次なるチェックポイントに関するヒント等を提供することができる。
【０１１２】
【発明の効果】
以上述べたように、本発明の情報提供システムによれば、非接触ＩＣタグからＵＲＬを取得した携帯無線通信端末から、サーバー装置へのアクセス権を正当化するために認証データを送信し、認証された場合にのみサーバー装置から情報の配信を行うようにしているので、当該携帯無線通信端末以外の情報端末からのアクセスを排除でき、これにより情報表示体の集客効果を適正に評価することができ、広告物等の効率的な配信が可能となる。
【０１１３】
また、本発明の情報提供方法によれば、携帯無線通信端末からサーバー装置へのアクセスの際に、サーバー装置による当該アクセスの正当性を評価するステップを有しているので、非接触ＩＣタグの記録情報を起点としてアクセスした携帯無線通信端末に対してのみ情報を配信するシステムを構築できるようになり、これにより情報表示体の集客効果を常に適切に評価して、広告物等の効率的な配信が可能となる。
【０１１４】
更に、本発明の携帯無線情報端末によれば、サーバー装置へのアクセスの際に、サーバー装置へのアクセス権を正当化するための認証データを生成する認証データ生成手段を有しているので、このような構成の携帯無線通信端末を用いて上述した本発明の情報提供システムを構築することができる。
【図面の簡単な説明】
【図１】本発明の第１の実施の形態による情報提供システムの概略構成図である。
【図２】本発明に適用される携帯無線通信端末１の外観構成例を示す斜視図である。
【図３】携帯無線通信端末１の内部構成例を示すブロック図である。
【図４】本発明に適用される非接触ＩＣタグ３の構成を示す分解斜視図である。
【図５】非接触ＩＣタグ３のＩＣチップの内部構成例を示すブロック図である。
【図６】本発明に適用される情報表示体２とこれに付着される非接触ＩＣタグ３の配置関係を説明する正面図である。
【図７】情報表示体２の形態の一変形例を示す図である。
【図８】本発明の第１の実施の形態の作用を説明するフロー図である。
【図９】本発明の第２の実施の形態の作用を説明するフロー図である。
【図１０】本発明の第３の実施の形態の作用を説明するフロー図である。
【図１１】本発明の第４の実施の形態を示す情報提供システムの概略構成図である。
【符号の説明】
１…携帯無線通信端末、２…広告物（情報表示体）、３…非接触ＩＣタグ、４…無線基地局、５…携帯無線通信端末用ネットワーク、６…サーバー装置、１１…広告代理店、１２…広告主、１３…販売店、２１…人形型ディスプレイ、３４…ＩＣモジュール、３５…磁気シート、３６…金属シート、４０…ＩＣチップ。
【図１】
2004309836.tif 000003
【図２】
2004309836.tif 000004
【図３】
2004309836.tif 000005
【図４】
2004309836.tif 000006
【図５】
2004309836.tif 000007
【図６】
2004309836.tif 000008
【図７】
2004309836.tif 000009
【図８】
2004309836.tif 000010
【図９】
2004309836.tif 000011
【図１０】
2004309836.tif 000012
【図１１】
2004309836.tif 000013